(57)【特許請求の範囲】
【請求項１】
全芳香族分を２０．０〜２５．０容量％、二環芳香族分を１．０〜３．０容量％、三環以上芳香族分を０．２〜１．２容量％、ナフテノベンゼン類を１３．０〜１８．０質量％、及び硫黄分を１０質量ｐｐｍ以下含み、密度（１５℃）が０．８２００〜０．８６００ｇ／ｃｍ３、及びＡＳＴＭ色が０．２〜２．０である軽油組成物の製造方法であって、
分解系軽油留分を含む下記原料油を水素化脱硫することを特徴とする軽油組成物の製造方法。
原料油：全芳香族分を２５．０〜３５．０容量％、全ナフテン分を１５．０〜２５．０質量％、二環ナフテン分を４．０〜７．０質量％、三環ナフテン分を１．０〜２．５質量％、及び硫黄分を０．５０〜１．６０質量％含み、９０％留出温度が３４０．０〜３８０．０℃である。
【請求項２】
前記分解系軽油留分が下記直脱軽油であり、前記原料油中に前記直脱軽油を５〜３０容量％含む請求項１記載の軽油組成物の製造方法。
直脱軽油：全芳香族分を２５．０容量％以上、全ナフテン分を１５．０質量％以上、二環ナフテン分を４．０質量％以上、三環ナフテン分を１．０質量％以上、及び硫黄分を０．０１質量％以上含み、９０％留出温度が３８０．０℃以下、及び密度（１５℃）が０．８７００ｇ／ｃｍ３以下である。
【請求項３】
前記分解系軽油留分が下記ライトサイクルオイルであり、前記原料油中に前記ライトサイクルオイルを１〜１０容量％含む請求項１記載の軽油組成物の製造方法。
ライトサイクルオイル：全芳香族分を６０．０容量％以上、全ナフテン分を１５．０質量％以上、二環ナフテン分を３．０質量％以上、三環ナフテン分を１．０質量％以上、及び硫黄分を０．０７質量％以上含み、９０％留出温度が３７０．０℃以下、及び密度（１５℃）が０．９８００ｇ／ｃｍ３以下である。
【発明の詳細な説明】
【技術分野】
【０００１】
本発明は、ディーゼルエンジン等に使用される軽油組成物の製造方法に関するものである。
【背景技術】
【０００２】
一般的にガソリン、軽油、灯油などの白油と称される石油製品は、重質油分からなる重油よりも需要が多く、昨今産業用重油の天然ガスへの転換などにより、この傾向が顕著となりつつある。石油製品は連産品と呼ばれるように、白油を製造する過程で重油成分も生産されるので、白油を増産するために、重質油分を分解して白油基材とする処理（アップグレーディングプロセス）が一般的に行われている。しかしながら、重質油分を分解して得られる白油基材には、必要な規格を満たしていないものや、規格を満たしていても実用性能上の問題があるものもあり、製品とするためには使用が制限されているものもある。重質油分解装置から得られる分解系軽油留分もその一つであり、軽油の基材として用いるためには、酸化安定性に問題がある。
【０００３】
軽油の酸化安定性は、使用状態や実用性能に影響を及ぼす重要な性状の一つであり、これまでに、軽油の酸化安定性の向上を図るための、多くの提案がなされている。そして、酸化安定性の向上が図られた軽油において、分解系軽油留分を脱硫処理して得られた脱硫軽油を基材に含むものも開示されている。
【０００４】
例えば、特開２００８−１４４１５６号公報には、主としてスチレン類化合物やジエン類化合物の含有量を所定の範囲に制御することで酸化安定性の向上が図られた軽油組成物であって、分解系軽油留分を脱硫処理して得られる脱硫軽油を基材として含むものが開示されている。
【０００５】
また、特開２０１３−２０３７５２号公報には、主としてベンゾアントラセン類の含有量を所定の範囲に制御することで酸化安定性の向上が図られた軽油組成物であって、分解系軽油留分を脱硫処理して得られる脱硫軽油を基材として含むものが開示されている。
【先行技術文献】
【特許文献】
【０００６】
【特許文献１】特開２００８−１４４１５６号公報
【特許文献２】特開２０１３−２０３７５２号公報
【発明の開示】
【発明が解決しようとする課題】
【０００７】
しかしながら、分解系軽油留分は、上述の通り、軽油の基材として用いるためには、酸化安定性に課題がある。一方、ディーゼル車においては、排ガス規制強化の影響を受け、エンジン燃焼筒内への噴射圧が年々高まり、燃料噴射ポンプやインジェクター内の燃料は高圧・高温化にさらされることとなり、より一層、酸化安定性に優れた軽油組成物の提供が望まれている。そこで、本発明は、分解系軽油留分を原料油として用いた、酸化安定性に優れる軽油組成物の製造方法を提供することを目的とする。
【課題を解決するための手段】
【０００９】
本発明は、全芳香族分を２０．０〜２５．０容量％、二環芳香族分を１．０〜３．０容量％、三環以上芳香族分を０．２〜１．２容量％、ナフテノベンゼン類を１３．０〜１８．０質量％、及び硫黄分を１０質量ｐｐｍ以下含み、密度（１５℃）が０．８２００〜０．８６００ｇ／ｃｍ３、及びＡＳＴＭ色が０．２〜２．０である軽油組成物の製造方法であって、
分解系軽油留分を含む下記原料油を水素化脱硫する軽油組成物の製造方法である。
原料油：全芳香族分を２５．０〜３５．０容量％、全ナフテン分を１５．０〜２５．０質量％、二環ナフテン分を４．０〜７．０質量％、三環ナフテン分を１．０〜２．５質量％、及び硫黄分を０．５０〜１．６０質量％含み、９０％留出温度が３４０．０〜３８０．０℃である。
【発明の効果】
【００１０】
本発明によれば、分解系軽油留分を原料油として用いた、酸化安定性に優れる軽油組成物の製造方法を提供することができる。
【図面の簡単な説明】
【００１１】
【図１】脱硫装置の出口温度と脱硫軽油の多環芳香族および硫黄の含有量の相関を示す概念図である。
【発明を実施するための形態】
【００１２】
本発明に用いられる原料油は、全芳香族分が２５．０〜３５．０容量％であり、２５．０〜３０．０容量％であることがより好ましい。芳香族分が少ないと、発熱反応が充分でなく脱硫後の酸化安定性が不足することがあり、多すぎると脱硫後のセタン指数が低く、低温時の着火時不良などの不具合を起こすことがある。芳香族分については、例えば、一環芳香族分は、１６．０〜２２．０容量％、二環芳香族分は、５．０〜１０．０容量％、三環以上芳香族分は、１．０〜４．０容量％とすることができる。
【００１３】
原料油の全ナフテン分含有量は、１５．０〜２５．０質量％、より好ましくは１７．０〜２５．０質量％、さらに好ましくは２１．０〜２５．０質量％である。一環ナフテン分含有量は、例えば、１０．０〜１７．０質量％である。二環ナフテン分含有量は４．０〜７．０質量％であり、好ましくは５．０〜７．０質量％である。三環ナフテン分含有量は１．０〜２．５質量％であり、好ましくは１．５〜２．５質量％である。ナフテン分含有量が少ないと、脱硫後の軽油の酸化安定性が悪くなり、多すぎると脱硫後のセタン指数が低くなり、低温時の着火不良などの原因となることがある。
【００１４】
原料油の硫黄分は、０．５０〜１．６０質量％であり、０．８０〜１．５０質量％であることがより好ましく、１．００〜１．５０質量％であることがさらに好ましい。硫黄分が多い程発熱反応が起こりやすく所望の酸化安定性を有した軽油が得られやすいが、高すぎると触媒寿命の低下、反応塔および配管などの材質の影響など脱硫装置面での不具合が懸念される。
【００１５】
原料油の１０％留出温度は、例えば、２１０．０〜２７０．０℃、５０％留出温度は、例えば、２８０．０〜３１０．０℃である。９０％留出温度は、３４０．０〜３８０．０℃であり、３４０．０〜３７０．０℃であることがより好ましく、３５０．０〜３７０．０℃であることがさらに好ましい。９０％留出温度が高いほど、所望の硫黄分１０質量ｐｐｍを達成するために反応温度を高くすることとなり、酸化安定性の良好な軽油が得られやすいが、高すぎると原料油中にワックスが多くなり、所望の流動点や目詰まり点値が得づらくなる。
【００１６】
原料油の密度（１５℃）は、０．８４００〜０．８６００ｇ／ｃｍ３と例えばすることができる。動粘度は４．０〜６．０ｍｍ２／ｓ、流動点は＋２．５℃以下、目詰まり点は＋５℃以下と例えばすることができる。
【００１７】
本発明に用いられる原料油は、分解系軽油留分と、その他の軽油基材（以下、原料油基材とする）とを混合して調製することができる。
【００１８】
分解系軽油留分としては、直接脱硫装置から得られる直脱軽油（以下、ＲＧＯという）、間接脱硫装置から得られる間脱軽油、流動接触分解装置から得られるライトサイクルオイル（以下、ＬＣＯという）、および熱分解装置から得られる熱分解軽油など重油のアップグレーディングプロセスから留出する軽油留分などが挙げられる。分解軽油留分としては、脱硫後の軽油の酸化安定性の観点からはＲＧＯが好ましい。
【００１９】
ＲＧＯは、全芳香族分が、好ましくは２５．０容量％以上、より好ましくは２５．０〜４０．０容量％であり、３０．０〜４０．０容量％がさらに好ましい。全芳香族分が少ないと、発熱反応が起こりにくくなり脱硫後の軽油の酸化安定性が悪くなることがあり、多いと脱硫後の軽油のセタン指数が低くなり、着火不良などの不具合を起こすことがある。一環芳香族分は２０．０〜３５．０容量％、二環芳香族分は２．５〜４．５容量％、三環以上芳香族分は１．０〜２．０容量％と例えばすることができる。全ナフテン分は１５．０質量％以上、二環ナフテン分は４．０質量％以上、三環ナフテン分は１．０質量％以上であるのが好ましい。一環ナフテン分は１４．０〜２０．０質量％と例えばすることができる。ナフテン分が少ないと、酸化安定性が悪くなることがあり、多いとセタン指数が低くなり、着火不良などの不具合を起こすことがある。硫黄分は０．０１質量％以上であることが好ましい。
【００２０】
ＲＧＯは、１０％留出温度が２１０．０〜２４０．０℃、５０％留出温度が２８０．０〜３２０．０℃と例えばすることができる。９０％留出温度は、３８０℃以下であることが好ましく、３７０℃以下であることがより好ましい。９０％留出温度が高すぎると、ワックス量が増加し、低温時フィルター目詰まりを起こすことがある。密度（１５℃）は、０．８７００ｇ／ｃｍ３以下であることが好ましい。密度が高すぎると、排ガス中の粒子状物質を増加させることがある。動粘度は３．０〜７．０ｍｍ２／ｓ、流動点は２．５℃以下、目詰まり点は＋５℃以下と例えばすることができる。
【００２１】
ＬＣＯは、全芳香族分が、好ましくは６０．０容量％以上、より好ましくは６５〜８０容量％、さらに好ましくは７０〜８０容量％である。全芳香族分が少ないと、発熱反応が小さく、脱硫後の酸化安定性が悪くなることがあり、多いと脱硫後のセタン指数が低くなり、着火不良を起こすことがある。一環芳香族分は１５．０〜３０．０容量％、二環芳香族分は２０．０〜４０．０容量％、三環以上芳香族分は５．０〜２０．０容量％と例えばすることができる。全ナフテン分は１５．０質量％以上、二環ナフテン分は３．０質量％以上、三環ナフテン分は１．０質量％以上であるのが好ましい。一環ナフテン分は１２．０〜１７．０質量％と例えばすることができる。ナフテン分が少ないと、脱硫後の酸化安定性が不充分となることがあり、多いとセタン指数が低くなり、着火不良などの不具合を起こすことがある。硫黄分は、０．０７質量％以上であることが好ましい。
【００２２】
ＬＣＯは、１０％留出温度が２１０．０〜２３０．０℃、５０％留出温度が２５０．０〜２８０．０℃と例えばすることができる。９０％留出温度は３７０．０℃以下であることが好ましい。９０％留出温度が高すぎると、ワックス量が多くなり、冬季にフィルター目詰まりなどの不具合を起こすことがある。密度（１５℃）は、０．９８００ｇ／ｃｍ３以下であることが好ましく、０．９２００〜０．９５００ｇ／ｃｍ３であることがより好ましい。密度が低すぎると脱硫後の酸化安定性が低くなることがあり、高すぎると、セタン指数が低くなり着火不良を起こすことがある。動粘度は２．０〜４．０ｍｍ２／ｓ、流動点は−１５〜−３５℃、目詰まり点は−５〜−２０℃と例えばすることができる。
【００２３】
原料油中、分解軽油留分は、１〜３５容量％であることが好ましく、５〜３０容量％であることがより好ましい。分解軽油留分が多すぎると、製品のセタン指数が低くなることがあり、少なすぎると反応塔出口温度が低くなり所望とする酸化安定性を有する軽油組成物が得られなくなることがある。分解軽油留分がＲＧＯであるときは、原料油中に５〜３０容量％であることが好ましく、１５〜３０容量％であることがより好ましく、２５〜３０容量％であることがさらに好ましい。ＲＧＯが多すぎると、製品のセタン指数が低くとなることがあり、少なすぎると所望とする酸化安定性を有する軽油組成物が得られなくとなることがある。分解軽油留分がＬＣＯであるときは、原料油中に１〜１０容量％であることが好ましく、５〜１０容量％であることがより好ましい。ＬＣＯが多すぎると、製品のセタン指数が低くとなることがあり、少なすぎると反応塔出口温度が低くなり所望とする酸化安定性を有する軽油組成物が得られなくとなることがある。
【００２４】
原料油基材としては、常圧蒸留装置から得られる軽油留分（以下、直留軽油とする）が挙げられる。
【００２５】
本発明においては、上記原料油を水素化脱硫して軽油組成物を得る。得られる軽油組成物は、全芳香族分が２０．０〜２５．０容量％、好ましくは２１．０〜２５．０容量％である。一環芳香族分は、例えば１８．０〜２２．０容量％である。二環芳香族分は、１．０〜３．０容量％、好ましくは２．０〜３．０容量％である。三環以上芳香族分は、０．２〜１．２容量％、好ましくは０．５〜１．２容量％である。芳香族分が少ないと燃料噴射系のシール材を収縮し、燃料にじみを起こすることがあり、多いと排気ガス中の黒煙が増加することがある。
【００２６】
得られる軽油組成物は、ナフテノベンゼン類が１３．０〜１８．０質量％、好ましくは１３．０〜１６．５質量％、より好ましくは１３．０〜１５．０質量％である。ナフテノベンゼン類が少ないと、燃料供給系のシール材を収縮し燃料にじみを起こすことがあり、多いと酸化安定性が悪くなることがある。一環ナフテノベンゼン類は、好ましくは１５．０質量％以下、より好ましくは９．０〜１３．０質量％、さらに好ましくは９．０〜１２．０質量％、特に好ましくは９．０〜１１．０質量％である。一環ナフテノベンゼン類が少ないと、燃料供給系のシール材を収縮し燃料にじみを起こすことがあり、多いと酸化安定性が悪くなることがある。二環ナフテノベンゼン類は、好ましくは５．０質量％以下、より好ましくは１．０〜４．０質量％、さらに好ましくは１．０〜３．０質量％である。二環ナフテノベンゼン類が多すぎると、酸化安定性が悪くなる傾向にあり好ましくない。硫黄分は、１０質量ｐｐｍ以下である。
【００２７】
なお、本発明において、一環ナフテノベンゼン類とは、ナフテノベンゼン及びそれにアルキル基を有するものを含み、例えば、インダン、及びテトラリンが挙げられる。二環ナフテノベンゼン類とは、二環ナフテノベンゼン及びそれにアルキル基を有するものを含み、例えば、オクタヒドロアントラセン、及びアルキルオクタヒドロアントラセンが挙げられる。ナフテノベンゼン類は、一環ナフテノベンゼン類、二環ナフテノベンゼン類、さらに多環ナフテノベンゼン類を含む。
【００２８】
ＡＳＴＭ色は、０．２〜２．０であり、好ましくは０．５〜２．０、より好ましくは１．０〜２．０である。ＡＳＴＭ色は小さすぎると酸化安定性が悪くなり、また大きすぎると排ガス中の黒煙が増加し好ましくない。密度（１５℃）は、０．８２００〜０．８６００ｇ／ｃｍ３である。１０％留出温度は２２０．０〜２５０．０℃、５０％留出温度は２７０．０〜３００．０℃、９０％留出温度は３３０．０〜３６０．０℃と例えばすることができる。動粘度は２．５〜５．５ｍｍ２／ｓ、流動点は２．５℃以下、目詰まり点は＋１℃以下、セタン指数は、好ましくは４５〜６０、より好ましくは５０〜６０、さらに好ましくは５５〜５８である。セタン指数が大きすぎると排ガス中の未燃炭化水素が増加する場合があり、小さすぎると始動不良を起こす場合がある。
【００２９】
本発明に係る軽油組成物は、酸化安定性に優れている。酸化安定性は、例えば、ＰｅｔｒｏＯＸＹ法による誘導期間によって表すことができ、本発明に係る軽油組成物においては、好ましくは７０分以上、より好ましくは９０分以上、さらに好ましくは１２５分以上、特に好ましくは１４０分以上である。
【００３０】
前述の原料油を用いて水素化脱硫することにより、酸化安定性が優れた上記の軽油組成物が得られる。脱硫装置リアクターの反応温度および原料油の硫黄分や芳香族含有量を適正に制御することにより、特に酸化安定性に優れた軽油組成物が得られる。水素化脱硫は、上記のような軽油組成物が得られるような条件で行われる。例えば、以下のように水素化脱硫を行うことができる。
【００３１】
水素化脱硫は、コバルトモリブデン系やニッケルモリブデン系など公知の触媒を使用した脱硫装置を用いることができる。脱硫処理条件は、得られる脱硫軽油の硫黄分が１０ｍａｓｓｐｐｍ以下となるように適宜調整すればよいが、装置出口温度は、多環ナフテンの脱水素反応が支配的となる領域とする。
【００３２】
脱硫装置の反応装置内では、脱硫反応と同時に脱芳香族反応が起こり、２環以上の多環芳香族も脱硫反応の進行とともに減少する。ところが、脱硫反応と脱芳香族反応は発熱反応なので、脱硫反応塔の出口温度は入り口温度より高くなる。そのため、ある温度を境に、ナフテンの脱水素反応が支配的となる場合は、温度上昇に伴い多環芳香族の含有量が増加する傾向にある。
【００３３】
すなわち、装置出口温度は、装置出口温度が所定値（図１における温度Ｔ０）以下の場合（図１における温度Ｔ０よりも左側の領域）は、装置内において多環芳香族の脱水素反応が支配的となる。そのため、温度上昇に伴って反応が進み、多環芳香族含有量は減少する。一方、装置出口温度が所定値Ｔ０より大きくなる場合は、装置内において２環以上の多環ナフテンの脱水反応が支配的となり、温度上昇に伴って反応が進み、脱硫軽油の多環芳香族含有量は増加する。
【００３４】
なお、図１の多環芳香族と硫黄分の含有量を示すグラフは、理解を容易にするものであり、正確なものではない。
【００３５】
装置出口温度が、装置内において多環ナフテンの脱水素反応が支配的となる領域となるように調整することと原料油中のナフテン類の量を適正にすることで、脱硫軽油の多環芳香族含有量を高めかつナフテノベンゼン量を減少させ、酸化安定性の向上を図ることができる。水素化脱硫する原料油が上記所定の性状であると、特に酸化安定性を高めることができる。
【００３６】
装置出口温度は、装置で使用されている触媒の種類に応じて、液空間速度、反応塔出口水素分圧、水素オイル比を適宜調整し、適正な反応塔出口温度とすることで、所望の範囲に収めることができる。例えば触媒としては市販のＣｏＭｏ系またはＮｉＭｏ系脱硫触媒を使い、液空間速度０．４〜１．５ｈ−１、反応塔出口水素分圧３．５〜６．２ＭＰａ、水素オイル比１００〜３００ＮＬ／Ｌとすることができる。
【００３７】
多環ナフテンの脱水素反応が支配的となる領域（温度）は、例えば、次のように決定することができる。硫黄分を下げるために反応温度を上げていくと、２環以上の多環芳香族分も減少するが、ある点を境に多環芳香族分が増加する温度が存在する。多環芳香族分が下限となる温度（Ｔ０）は水素分圧・触媒活性・水素オイル比など一般的な脱硫装置の装置・運転条件および原料油の性状により異なるが、この温度は得られる軽油組成物の芳香族を測定（例えばＪＰＩ法）し、多環芳香族分と反応塔出口温度を測定して決定することができる。多環ナフテンの脱水素反応が支配的となる領域（温度）は、Ｔ０℃〜Ｔ０＋４０℃の範囲内から選ばれることが好ましく、Ｔ０℃〜Ｔ０＋２０℃の範囲内から選ばれることがより好ましい。この範囲内から任意の範囲、即ち上限下限を決めて多環ナフテンの脱水素反応が支配的となる領域（温度）とすることができる。支配的となる領域（温度）が低すぎると所望の酸化安定性が得られづらくなり、高すぎると多環芳香族が増加し排ガス性状が悪化することがある。
【００３８】
本発明において、軽油組成物は、製品軽油であってもよいし、製品軽油を構成する基材であってもよい。したがって、本発明に係る軽油組成物を製品としてそのまま用いることもできるし、基材として用いることもできる。
【００３９】
本発明に係る軽油組成物をそのまま製品とする場合、基材とする場合、いずれの場合でも、添加剤を混合してもよい。基材として用いる場合は、例えば、１種または２種以上の灯油基材、または１種または２種以上の軽油基材と混合することができる。
【００４０】
灯油基材としては、例えば、原油を常圧蒸留して得られる灯油留分およびそれを脱硫した脱硫灯油を用いることができる。また常圧蒸留装置から得られる灯油留分と分解灯油を適切な割合で混合、脱硫処理して得られた硫黄分１０質量ｐｐｍ以下の灯油基材も用いることができる。なお、分解灯油とは、流動接触分解装置から得られる灯油留分や熱分解装置から得られる灯油留分などの重油のアップグレーディングプロセスから留出する灯油留分をいい、近年の社会的要請に従えば、それの混合比率はできるだけ高くすることが好ましい。
【００４１】
また、軽油基材としては、例えば、一酸化炭素と水からフィッシャートロップシュ反応を利用してパラフィン化合物が製造されたＧＴＬ軽油などが挙げられる。
【００４２】
添加剤としては、酸化防止剤、潤滑性向上剤、および低温流動性向上剤などが挙げられる。酸化防止剤としては、市販品が挙げられる。潤滑性向上剤としては、脂肪酸を主成分とする酸系およびグリセリンモノ脂肪酸エステルを主成分とするエステル系などの市販品が挙げられる。これらの化合物は単独で、または２種以上を組み合わせて使用できる。潤滑性向上剤に用いられる脂肪酸としては、炭素数が１２〜２２程度、好ましくは炭素数が１８程度の不飽和脂肪酸、即ちオレイン酸、リノール酸、リノレン酸等の混合物を主成分とするのが好ましい。低温流動性向上剤としては、エチレン−酢酸ビニル共重合体、エチレン−アルキルアクリレート共重合体、アルケニルコハク酸アミド、塩素化ポリエチレン、およびポリアルキルアクリレートなどの市販品が挙げられる。
【実施例】
【００４３】
≪原料油の調製≫
分解系軽油留分として、ＲＧＯおよびＬＣＯを、それに混合する原料油基材として原油種及び硫黄分など性状が異なる軽油留分１（ＬＧＯ１）および軽油留分２（ＬＧＯ２）を用いた。これらの性状等を表１に示す。ＲＧＯ、ＬＣＯ、ＬＧＯ１およびＬＧＯ２を表２に記載の容量割合で混合して、原料油１〜４を得た。原料油１〜４の性状を表２に示す。なお、全ての性状等は、下記のようにして求めた。
【００４４】
組成：
（芳香族分）
ＪＰＩ−５Ｓ−４９−９７「石油製品−炭化水素タイプ試験方法−高速液体クロマトグラフ法」により測定される１環芳香族分と２環芳香族分と３環以上芳香族炭化水素分。これらの総和を全芳香族分とした。
【００４５】
（ナフテン分，ナフテノベンゼン類）
Ａｇｉｌｅｎｔ  Ｔｅｃｈｎｏｌｏｇｉｅｓ社製ＨＰ−６８９０Ｎガスクロマトグラムを接続したＪＥＯＬ社製ＪＭＳ−Ｔ１００ＧＣ飛行時間型質量分析計を用い、ＦＩ−ＭＳ測定し、測定したデータをノルマルパラフィン標準試料を用いて求めたイオン強度（％）と濃度（質量％）補正グラフを用いて補正後、全体の強度を１００質量％として各質量比（％）を求めた。分析条件は以下の通りである。
GCカラム：  FS、Deactivated （0.250ｍｍ×5ｍ, Agilent technologies）
カラム温度条件：３００℃（7分）
試料気化室条件：３００℃一定
ＭＳ検出器部：３００℃
【００４６】
硫黄分：
ＪＩＳ  Ｋ  ２５４１−４「原油及び石油製品−硫黄分試験方法  第４部：放射線式励起法」により測定した。
密度（＠１５℃）：
ＪＩＳ  Ｋ  ２２４９「原油及び石油製品−密度試験方法及び密度・質量・容積換算表」により測定した。
蒸留性状：
ＪＩＳ  Ｋ  ２２５４「石油製品―蒸留試験方法」により測定した。
【００４７】
動粘度（＠３０℃）：
ＪＩＳ  Ｋ  ２２８３「原油及び石油製品−動粘度試験方法及び粘度指数算出方法」により測定した。
流動点：
ＪＩＳ  Ｋ  ２２６９「原油及び石油製品の流動点並びに石油製品曇り点試験方法」により測定した。
目詰まり点：
ＪＩＳ  Ｋ  ２２８８「石油製品−軽油−目詰まり点試験方法」により測定した。
ＡＳＴＭ色：
ＪＩＳ  Ｋ  ２５８０「石油製品−色試験方法」の刺激値換算法により測定した。色彩・濁度同時測定器ＣＯＨ４００（日本電色株式会社製）を用いて、小数点１桁まで測定した。
【００４８】
セタン指数：
ＪＩＳ  Ｋ  ２２８０−５「石油製品−オクタン価及びセタン価並びにセタン指数の求め方−第５部セタン指数」に従って測定した。
ＰｅｔｒｏＯＸＹ法による誘導期間（誘導期間）：
酸化安定性の指標として、酸化安定性試験装置ＰｅｔｒｏＯＸＹ（Ｐｅｔｒｏｔｅｓｔ社製）を用いて、初期酸素圧力を７００ｋＰａに設定し、最大圧より圧力が１０％低下するまでの経過時間を測定した。なお、本試験においては、高温での酸化安定性を評価するため試験温度は１４０℃とした。
【００４９】
【表１】
0006609749.tif 000002
【００５０】
【表２】
0006609749.tif 000003
【００５１】
（実施例１）
原料油１を市販の脱硫触媒を用い、液空間速度１．０ｈ−１、水素分圧５．６ＭＰａ、水素オイル比１５０ＮＬ／Ｌの条件で、装置出口温度が、多環ナフテンの脱水素反応が支配的となる領域（温度）で、硫黄分が１０ｍａｓｓｐｐｍ以下となるまで脱硫処理して実施例１に係る軽油組成物を得た。得られた軽油組成物の性状等を表３に示す。
【００５２】
（実施例２〜３）
原料油１の代わりに原料油２または３を用いた以外は実施例１と同様にして、実施例２〜３に係る軽油組成物を得た。得られた軽油組成物の性状等を表３に示す。
【００５３】
（比較例１）
原料油１の代わりに原料油４を用いた以外は実施例１と同様にして、比較例１に係る軽油組成物を得た。得られた軽油組成物の性状等を表３に示す。
【００５４】
【表３】
0006609749.tif 000004
【図１】
0006609749.tif 000005